(57)【要約】【課題】同じ種類のタブ紙が同じ給紙トレイから供給される場合であっても、タブ紙を大分類用タブ紙と小分類用タブ紙とに区別して使用することを可能ならしめる画像形成装置、画像形成装置で実行される方法、および画像形成装置を制御する制御プログラムを提供する。【解決手段】画像形成装置は、印刷対象となる文書中の第１の一区切りに対して挿入される章用タブ紙、および文書中の第１の一区切りよりも細かい第２の一区切りに対して挿入される節用タブ紙として使用される同じ種類のタブ紙を、同じ給紙トレイから供給するタブ紙供給部と、その文書の印刷の際に、給紙トレイから次に供給されるタブ紙のタブ位置が、次に挿入すべきタブ紙のタブ位置と一致していない場合、両タブ位置が一致するまで、給紙トレイ内のタブ紙を不要タブ紙として排出する制御を行う制御部とを有する。【選択図】図１２
2008201033.tif 000002
【特許請求の範囲】
【請求項１】
画像形成装置であって、
印刷対象となる文書中の第１の一区切りに対して挿入される大分類用タブ紙、および前記文書中の前記第１の一区切りよりも細かい第２の一区切りに対して挿入される小分類用タブ紙として使用される同じ種類のタブ紙を、同じ給紙トレイから供給するタブ紙供給部と、
前記文書の印刷の際に、前記給紙トレイから次に供給されるタブ紙のタブ位置が、次に挿入すべきタブ紙のタブ位置と一致していない場合、両タブ位置が一致するまで、前記給紙トレイ内のタブ紙を不要タブ紙として排出する制御を行う制御部と、
を有することを特徴とする画像形成装置。
【請求項２】
前記制御部は、前記文書の印刷の際に、次に挿入すべきタブ紙が小分類用タブ紙から大分類用タブ紙に変化する場合であって、前記給紙トレイから次に供給されるタブ紙のタブ位置が、次に挿入すべき大分類用タブ紙のタブ位置と一致していないとき、両タブ位置が一致するまで、前記給紙トレイ内のタブ紙を不要タブ紙として排出する制御を行うことを特徴とする請求項１に記載の画像形成装置。
【請求項３】
前記制御部は、前記文書の印刷の際に、次に挿入すべきタブ紙が大分類用タブ紙から小分類用タブ紙に変化する場合、前記給紙トレイから次に供給されるタブ紙のタブ位置が、変化直前の大分類用タブ紙のタブ位置と一致するまで、前記給紙トレイ内のタブ紙を不要タブ紙として排出してから、前記変化直前の大分類用タブ紙と同じタブ位置のタブ紙を小分類用タブ紙として挿入する制御を行うことを特徴とする請求項１又は２に記載の画像形成装置。
【請求項４】
前記制御部は、前記文書の印刷の際に、次に挿入すべきタブ紙が大分類用タブ紙から小分類用タブ紙に変化する場合、変化直前の大分類用タブ紙に対して次のタブ位置となるタブ紙を小分類用タブ紙として挿入する制御を行うことを特徴とする請求項１又は２に記載の画像形成装置。
【請求項５】
ユーザにより指定された、前記大分類用タブ紙として使用されるタブ紙のタブ位置の範囲を示す第１タブ位置範囲、および前記小分類用タブ紙として使用されるタブ紙のタブ位置の範囲を示す第２タブ位置範囲を取得する取得手段をさらに有し、
前記次に挿入すべきタブ紙のタブ位置は、大分類用タブ紙として使用される場合には前記第１タブ位置範囲内で順番に変化させられ、小分類用タブ紙として使用される場合には前記第２タブ位置範囲内で順番に変化させられることを特徴とする請求項１に記載の画像形成装置。
【請求項６】
前記第１の一区切りは章であり、前記第２の一区切りは節であることを特徴とする請求項１〜５のいずれか１つに記載の画像形成装置。
【請求項７】
画像形成装置で実行される方法であって、
印刷対象となる文書中の第１の一区切りに対して挿入される大分類用タブ紙、および前記文書中の前記第１の一区切りよりも細かい第２の一区切りに対して挿入される小分類用タブ紙として使用される同じ種類のタブ紙を、同じ給紙トレイから供給するステップ１）と、
前記文書の印刷の際に、前記給紙トレイから次に供給されるタブ紙のタブ位置が、次に挿入すべきタブ紙のタブ位置と一致していない場合、両タブ位置が一致するまで、前記給紙トレイ内のタブ紙を不要タブ紙として排出する制御を行うステップ２）と、
を有することを特徴とする方法。
【請求項８】
画像形成装置を制御する制御プログラムであって、
印刷対象となる文書中の第１の一区切りに対して挿入される大分類用タブ紙、および前記文書中の前記第１の一区切りよりも細かい第２の一区切りに対して挿入される小分類用タブ紙として使用される同じ種類のタブ紙を、同じ給紙トレイから供給する制御を行う手順１）と、
前記文書の印刷の際に、前記給紙トレイから次に供給されるタブ紙のタブ位置が、次に挿入すべきタブ紙のタブ位置と一致していない場合、両タブ位置が一致するまで、前記給紙トレイ内のタブ紙を不要タブ紙として排出する制御を行う手順２）と、
を前記画像形成装置に実行させる制御プログラム。
【請求項９】
画像形成装置を制御する制御プログラムであって、
印刷対象となる文書中の第１の一区切りに対して挿入される大分類用タブ紙、および前記文書中の前記第１の一区切りよりも細かい第２の一区切りに対して挿入される小分類用タブ紙として使用される同じ種類のタブ紙を、同じ給紙トレイから供給する設定を行うためのユーザが指定可能なタブ紙種類および給紙トレイ設定部、前記大分類用タブ紙として使用されるタブ紙のタブ位置の範囲を示す第１タブ位置範囲をユーザが指定可能な第１タブ位置範囲設定部、および前記小分類用タブ紙として使用されるタブ紙のタブ位置の範囲を示す第２タブ位置範囲をユーザが指定可能な第２タブ位置範囲設定部をユーザに提供する手順１）と、
前記タブ紙種類および給紙トレイ設定部におけるタブ紙の種類および給紙トレイの指定、前記第１タブ位置範囲設定部における第１タブ位置範囲の指定、および前記第２タブ位置範囲設定部における第２タブ位置範囲の指定を受け付ける手順２）と、
をコンピュータに実行させる制御プログラム。
【請求項１０】
請求項８または９に記載の制御プログラムを記録したコンピュータ読み取り可能な記録媒体。
【請求項１１】
文書中の第１の一区切りに対して挿入される大分類用タブ紙、および前記文書中の前記第１の一区切りよりも細かい第２の一区切りに対して挿入される小分類用タブ紙として使用される同じ種類のタブ紙を、同じ給紙トレイから供給するタブ紙供給部と、
前記文書を構成する複数の用紙を順次搬送する際に前記大分類用タブ紙と前記小分類用タブ紙を用紙間に挿入するにあたり、前記給紙トレイから次に供給されるタブ紙のタブ位置が、次に挿入すべきタブ紙のタブ位置と一致していない場合、両タブ位置が一致するまで、前記給紙トレイ内のタブ紙を不要タブ紙として排出する制御を行う制御部と、
を有することを特徴とするタブ紙挿入装置。
【請求項１２】
前記制御部は、次に挿入すべきタブ紙が小分類用タブ紙から大分類用タブ紙に変化する場合であって、前記給紙トレイから次に供給されるタブ紙のタブ位置が、次に挿入すべき大分類用タブ紙のタブ位置と一致していないとき、両タブ位置が一致するまで、前記給紙トレイ内のタブ紙を不要タブ紙として排出する制御を行うことを特徴とする請求項１１に記載のタブ紙挿入装置。
【請求項１３】
前記制御部は、次に挿入すべきタブ紙が大分類用タブ紙から小分類用タブ紙に変化する場合、前記給紙トレイから次に供給されるタブ紙のタブ位置が、変化直前の大分類用タブ紙のタブ位置と一致するまで、前記給紙トレイ内のタブ紙を不要タブ紙として排出してから、前記変化直前の大分類用タブ紙と同じタブ位置のタブ紙を小分類用タブ紙として挿入する制御を行うことを特徴とする請求項１１又は１２に記載のタブ紙挿入装置。
【請求項１４】
前記制御部は、次に挿入すべきタブ紙が大分類用タブ紙から小分類用タブ紙に変化する場合、変化直前の大分類用タブ紙に対して次のタブ位置となるタブ紙を小分類用タブ紙として挿入する制御を行うことを特徴とする請求項１１又は１２に記載のタブ紙挿入装置。
【請求項１５】
ユーザにより指定された、前記大分類用タブ紙として使用されるタブ紙のタブ位置の範囲を示す第１タブ位置範囲、および前記小分類用タブ紙として使用されるタブ紙のタブ位置の範囲を示す第２タブ位置範囲を取得する取得手段をさらに有し、
前記次に挿入すべきタブ紙のタブ位置は、大分類用タブ紙として使用される場合には前記第１タブ位置範囲内で順番に変化させられ、小分類用タブ紙として使用される場合には前記第２タブ位置範囲内で順番に変化させられることを特徴とする請求項１１に記載のタブ紙挿入装置。
【請求項１６】
前記第１の一区切りは章であり、前記第２の一区切りは節であることを特徴とする請求項１〜５のいずれか１つに記載のタブ紙挿入装置。
【発明の詳細な説明】
【技術分野】
【０００１】
本発明は、タブ紙挿入装置、タブ紙の挿入機能を有する画像形成装置、画像形成装置で実行される方法、および画像形成装置を制御する制御プログラムに関する。
【背景技術】
【０００２】
平坦な矩形状の本体と、当該本体の一辺の所定位置に設けられる突出したタブとを備えたタブ紙をページ間に挿入しながら印刷物を作成することが可能な印刷装置が存在する（特許文献１参照）。この印刷装置では、タブの位置が順次ずれた例えば５枚の構成要素としてのタブ紙からなる１セットのタブ紙が、複数セット分重ねられて給紙トレイにセットされる。
【０００３】
ところで、印刷物が例えば「章」と「節」から構成されている場合、ユーザが一見して、「章」の変わり目に用いるタブ紙と「節」の変わり目に用いるタブ紙とを区別し得ることが、印刷物の容易かつ迅速な閲覧の観点から望ましい。
【０００４】
しかしながら、上記特許文献１に記載の印刷装置では、同じ種類のタブ紙が同じ給紙トレイから供給される。すなわち、タブ位置が順次ずれた構成要素としてのタブ紙が、給紙トレイに積層して設置された順番にしたがって供給されて印刷物に挿入される。このため、例えば「章」の変わり目に用いるタブ紙と「節」の変わり目に用いるタブ紙のように、タブ紙を大分類用タブ紙と小分類用タブ紙とに区別して使用することができないという問題があった。
【特許文献１】特開２００５−２７１２５９号公報
【発明の開示】
【発明が解決しようとする課題】
【０００５】
本発明は上記従来技術の有する問題点に鑑みてなされたものであり、本発明の目的は、同じ種類のタブ紙が同じ給紙トレイから供給される場合であっても、タブ紙を大分類用タブ紙と小分類用タブ紙とに区別して使用することを可能ならしめる画像形成装置、画像形成装置で実行される方法、画像形成装置を制御する制御プログラム、およびタブ紙挿入装置を提供することにある。
【課題を解決するための手段】
【０００６】
本発明の上記目的は、下記の手段によって達成される。
【０００７】
（１）画像形成装置であって、印刷対象となる文書中の第１の一区切りに対して挿入される大分類用タブ紙、および前記文書中の前記第１の一区切りよりも細かい第２の一区切りに対して挿入される小分類用タブ紙として使用される同じ種類のタブ紙を、同じ給紙トレイから供給するタブ紙供給部と、前記文書の印刷の際に、前記給紙トレイから次に供給されるタブ紙のタブ位置が、次に挿入すべきタブ紙のタブ位置と一致していない場合、両タブ位置が一致するまで、前記給紙トレイ内のタブ紙を不要タブ紙として排出する制御を行う制御部と、を有することを特徴とする画像形成装置。
【０００８】
（２）前記制御部は、前記文書の印刷の際に、次に挿入すべきタブ紙が小分類用タブ紙から大分類用タブ紙に変化する場合であって、前記給紙トレイから次に供給されるタブ紙のタブ位置が、次に挿入すべき大分類用タブ紙のタブ位置と一致していないとき、両タブ位置が一致するまで、前記給紙トレイ内のタブ紙を不要タブ紙として排出する制御を行うことを特徴とする上記（１）に記載の画像形成装置。
【０００９】
（３）前記制御部は、前記文書の印刷の際に、次に挿入すべきタブ紙が大分類用タブ紙から小分類用タブ紙に変化する場合、前記給紙トレイから次に供給されるタブ紙のタブ位置が、変化直前の大分類用タブ紙のタブ位置と一致するまで、前記給紙トレイ内のタブ紙を不要タブ紙として排出してから、前記変化直前の大分類用タブ紙と同じタブ位置のタブ紙を小分類用タブ紙として挿入する制御を行うことを特徴とする上記（１）又は（２）に記載の画像形成装置。
【００１０】
（４）前記制御部は、前記文書の印刷の際に、次に挿入すべきタブ紙が大分類用タブ紙から小分類用タブ紙に変化する場合、変化直前の大分類用タブ紙に対して次のタブ位置となるタブ紙を小分類用タブ紙として挿入する制御を行うことを特徴とする上記（１）又は（２）に記載の画像形成装置。
【００１１】
（５）ユーザにより指定された、前記大分類用タブ紙として使用されるタブ紙のタブ位置の範囲を示す第１タブ位置範囲、および前記小分類用タブ紙として使用されるタブ紙のタブ位置の範囲を示す第２タブ位置範囲を取得する取得手段をさらに有し、前記次に挿入すべきタブ紙のタブ位置は、大分類用タブ紙として使用される場合には前記第１タブ位置範囲内で順番に変化させられ、小分類用タブ紙として使用される場合には前記第２タブ位置範囲内で順番に変化させられることを特徴とする上記（１）に記載の画像形成装置。
【００１２】
（６）前記第１の一区切りは章であり、前記第２の一区切りは節であることを特徴とする上記（１）〜（５）のいずれか１つに記載の画像形成装置。
【００１３】
（７）画像形成装置で実行される方法であって、印刷対象となる文書中の第１の一区切りに対して挿入される大分類用タブ紙、および前記文書中の前記第１の一区切りよりも細かい第２の一区切りに対して挿入される小分類用タブ紙として使用される同じ種類のタブ紙を、同じ給紙トレイから供給するステップ１）と、前記文書の印刷の際に、前記給紙トレイから次に供給されるタブ紙のタブ位置が、次に挿入すべきタブ紙のタブ位置と一致していない場合、両タブ位置が一致するまで、前記給紙トレイ内のタブ紙を不要タブ紙として排出する制御を行うステップ２）と、を有することを特徴とする方法。
【００１４】
（８）画像形成装置を制御する制御プログラムであって、印刷対象となる文書中の第１の一区切りに対して挿入される大分類用タブ紙、および前記文書中の前記第１の一区切りよりも細かい第２の一区切りに対して挿入される小分類用タブ紙として使用される同じ種類のタブ紙を、同じ給紙トレイから供給する制御を行う手順１）と、前記文書の印刷の際に、前記給紙トレイから次に供給されるタブ紙のタブ位置が、次に挿入すべきタブ紙のタブ位置と一致していない場合、両タブ位置が一致するまで、前記給紙トレイ内のタブ紙を不要タブ紙として排出する制御を行う手順２）と、を前記画像形成装置に実行させる制御プログラム。
【００１５】
（９）画像形成装置を制御する制御プログラムであって、印刷対象となる文書中の第１の一区切りに対して挿入される大分類用タブ紙、および前記文書中の前記第１の一区切りよりも細かい第２の一区切りに対して挿入される小分類用タブ紙として使用される同じ種類のタブ紙を、同じ給紙トレイから供給する設定を行うためのユーザが指定可能なタブ紙種類および給紙トレイ設定部、前記大分類用タブ紙として使用されるタブ紙のタブ位置の範囲を示す第１タブ位置範囲をユーザが指定可能な第１タブ位置範囲設定部、および前記小分類用タブ紙として使用されるタブ紙のタブ位置の範囲を示す第２タブ位置範囲をユーザが指定可能な第２タブ位置範囲設定部をユーザに提供する手順１）と、前記タブ紙種類および給紙トレイ設定部におけるタブ紙の種類および給紙トレイの指定、前記第１タブ位置範囲設定部における第１タブ位置範囲の指定、および前記第２タブ位置範囲設定部における第２タブ位置範囲の指定を受け付ける手順２）と、をコンピュータに実行させる制御プログラム。
【００１６】
（１０）上記（８）または（９）に記載の制御プログラムを記録したコンピュータ読み取り可能な記録媒体。
【００１７】
（１１）文書中の第１の一区切りに対して挿入される大分類用タブ紙、および前記文書中の前記第１の一区切りよりも細かい第２の一区切りに対して挿入される小分類用タブ紙として使用される同じ種類のタブ紙を、同じ給紙トレイから供給するタブ紙供給部と、前記文書を構成する複数の用紙を順次搬送する際に前記大分類用タブ紙と前記小分類用タブ紙を用紙間に挿入するにあたり、前記給紙トレイから次に供給されるタブ紙のタブ位置が、次に挿入すべきタブ紙のタブ位置と一致していない場合、両タブ位置が一致するまで、前記給紙トレイ内のタブ紙を不要タブ紙として排出する制御を行う制御部と、を有することを特徴とするタブ紙挿入装置。
【００１８】
（１２）前記制御部は、次に挿入すべきタブ紙が小分類用タブ紙から大分類用タブ紙に変化する場合であって、前記給紙トレイから次に供給されるタブ紙のタブ位置が、次に挿入すべき大分類用タブ紙のタブ位置と一致していないとき、両タブ位置が一致するまで、前記給紙トレイ内のタブ紙を不要タブ紙として排出する制御を行うことを特徴とする上記（１１）に記載のタブ紙挿入装置。
【００１９】
（１３）前記制御部は、次に挿入すべきタブ紙が大分類用タブ紙から小分類用タブ紙に変化する場合、前記給紙トレイから次に供給されるタブ紙のタブ位置が、変化直前の大分類用タブ紙のタブ位置と一致するまで、前記給紙トレイ内のタブ紙を不要タブ紙として排出してから、前記変化直前の大分類用タブ紙と同じタブ位置のタブ紙を小分類用タブ紙として挿入する制御を行うことを特徴とする上記（１１）又は（１２）に記載のタブ紙挿入装置。
【００２０】
（１４）前記制御部は、次に挿入すべきタブ紙が大分類用タブ紙から小分類用タブ紙に変化する場合、変化直前の大分類用タブ紙に対して次のタブ位置となるタブ紙を小分類用タブ紙として挿入する制御を行うことを特徴とする上記（１１）又は（１２）に記載のタブ紙挿入装置。
【００２１】
（１５）ユーザにより指定された、前記大分類用タブ紙として使用されるタブ紙のタブ位置の範囲を示す第１タブ位置範囲、および前記小分類用タブ紙として使用されるタブ紙のタブ位置の範囲を示す第２タブ位置範囲を取得する取得手段をさらに有し、前記次に挿入すべきタブ紙のタブ位置は、大分類用タブ紙として使用される場合には前記第１タブ位置範囲内で順番に変化させられ、小分類用タブ紙として使用される場合には前記第２タブ位置範囲内で順番に変化させられることを特徴とする上記（１１）に記載のタブ紙挿入装置。
【００２２】
（１６）前記第１の一区切りは章であり、前記第２の一区切りは節であることを特徴とする上記（１１）〜（１５）のいずれか１つに記載のタブ紙挿入装置。
【発明の効果】
【００２３】
本発明では、同じ種類のタブ紙が同じ給紙トレイから供給される。そして、一つの文書の印刷の際に、給紙トレイから次に供給されるタブ紙のタブ位置が、次に挿入すべきタブ紙のタブ位置と一致していない場合、両タブ位置が一致するまで、給紙トレイ内のタブ紙が不要タブ紙として排出される。
【００２４】
したがって、タブ位置が順次ずれた構成要素としてのタブ紙が、給紙トレイに積層して設置された順番にしたがって供給されて印刷物に挿入されるのではなく、章用タブ紙か節用タブ紙かによって、挿入するタブ紙のタブ位置の変化態様を異ならせることができる。つまり、同じ種類のタブ紙が同じ給紙トレイから供給される場合であっても、タブ紙を章用タブ紙と節用タブ紙とに区別して使用することが可能となる。
【００２５】
これにより、同じ種類のタブ紙が同じ給紙トレイから供給される場合であっても、ユーザは、出来上がった印刷物において章用タブ紙と節用タブ紙とを一見して区別することができ、印刷物における所望のページをタブ紙に基づいて容易かつ迅速に閲覧することが可能となる。
【発明を実施するための最良の形態】
【００２６】
以下、本発明の実施の形態を、図面を参照して詳細に説明する。
【００２７】
図１は、本発明の第１の実施形態にかかるネットワークシステムの全体構成を示すブロック図である。
【００２８】
本実施形態にかかるネットワークシステムは、文書の印刷の指示を行う印刷指示装置としてのＰＣ１と、ＰＣ１の印刷指示に基づいて印刷を行う印刷システム４とを備え、これらはネットワーク５により相互に通信可能に接続されている。なお、ＰＣ１と印刷システム４とは、ネットワーク５を介することなく直接機器間で接続（ローカル接続）されていてもよい。
【００２９】
印刷システム４は、互いにローカル接続されたプリンタコントローラ２と画像形成装置であり且つタブ紙挿入装置としてのプリンタ３とから成る。このローカル接続には、ＵＳＢ、ＩＥＥＥ１３９４等のシリアルインタフェース、ＳＣＳＩ、ＩＥＥＥ１２８４等のパラレルインタフェース、Ｂｌｕｅｔｏｏｔｈ（登録商標）、ＩＥＥＥ８０２.１１、ＨｏｍｅＲＦ、ＩｒＤＡ等の無線通信インタフェース等の各種ローカル接続インタフェースが用いられる。ただし、プリンタコントローラ２とプリンタ３とは、ネットワーク５により接続されてもよい。
【００３０】
図２は、図１に示されるＰＣ１の構成を示すブロック図である。
【００３１】
ＰＣ１は、ＣＰＵ１１、ＲＯＭ１２、ＲＡＭ１３、ハードディスク１４、ディスプレイ１５、入力装置１６およびネットワークインタフェース１７を備えており、これらは信号をやり取りするためのバス１８を介して相互に接続されている。
【００３２】
ＣＰＵ１１は、プログラムにしたがって、上記各部の制御や各種の演算処理を行う。ＲＯＭ１２は、各種プログラムや各種データを格納する。ＲＡＭ１３は、作業領域として一時的にプログラムやデータを記憶する。ハードディスク１４は、オペレーティングシステムを含む各種プログラムや各種データを格納する。
【００３３】
ここで、ハードディスク１４には、文書ファイルを作成するためのアプリケーションと、文書ファイルを印刷システム４が解釈可能なページ記述言語（ＰＤＬ：Ｐａｇｅ  Ｄｅｓｃｒｉｐｔｉｏｎ  Ｌａｎｇｕａｇｅ）で記述されたＰＤＬデータに変換するためのプリンタドライバとがインストールされている。プリンタドライバは、アプリケーションを使用して作成した文書ファイルの印刷指示の他、印刷出力条件の設定やタブ紙に関する設定を行う機能を有する。プリンタドライバには、これらの設定を行うためのプログラムが含まれる。
【００３４】
ディスプレイ１５は、ＬＣＤ、ＣＲＴディスプレイ等であり、各種の情報の表示に使用される。入力装置１６は、マウス等のポインティングデバイスやキーボードを含み、各種情報の入力に使用される。
【００３５】
ネットワークインタフェース１７は、ネットワーク５を介して他の機器と通信するためのインタフェースであり、イーサネット（登録商標）、トークンリング、ＦＤＤＩ等の規格が用いられる。
【００３６】
図３は、図１に示される印刷システム４におけるプリンタコントローラ２の構成を示すブロック図である。
【００３７】
プリンタコントローラ２は、ＣＰＵ２１、ＲＯＭ２２、ＲＡＭ２３、ハードディスク２４、プリンタインターフェース２５、およびネットワークインタフェース２６を備えており、これらは信号をやり取りするためのバス２７を介して相互に接続されている。なお、プリンタコントローラ２の上記各部のうち、ＰＣ１の上記各部と同様の機能を有する部分については、説明の重複を避けるためその説明を省略する。
【００３８】
ＲＯＭ２２またはハードディスク２４には、ＰＣ１から受信したＰＤＬデータを翻訳しビットマップ形式の画像データであるビットマップデータに展開するためのラスタライズ処理のプログラム、および受信したＰＤＬデータの処理方法を解析するための画像データ処理のプログラムが格納されている。また、ハードディスク２４には、受信したＰＤＬデータおよびビットマップデータが保存され得る。
【００３９】
プリンタインターフェース２５は、ローカル接続されたプリンタ３と通信するためのインタフェースである。
【００４０】
図４は、図１に示される印刷システム４のプリンタ３の構成を示すブロック図である。プリンタ３は、ＣＰＵ３１、ＲＯＭ３２、ＲＡＭ３３、操作パネル部３４、印刷部３５、およびコントローラインターフェース３６を備えており、これらは信号をやり取りするためのバス３７を介して相互に接続されている。なお、プリンタ３の上記各部のうち、ＰＣ１の上記各部と同様の機能を有する部分については、説明の重複を避けるためその説明を省略する。
【００４１】
ＲＯＭ３２には、プリンタコントローラ２から受信したビットマップデータを含む印刷データに基づいて行われる印刷処理のプログラムが格納されている。
【００４２】
操作パネル部３４は、タッチパネル、テンキー、スタートボタン、ストップボタン等を備えており、各種情報の表示および各種指示の入力に使用される。
【００４３】
印刷部３５は、電子写真式プロセス等の周知の作像プロセスを用いて、プリンタコントローラ２から受信したビットマップデータが示す画像を用紙等の記録媒体に印刷する。コントローラインターフェース３６は、ローカル接続されたプリンタコントローラ２と通信するためのインタフェースである。
【００４４】
図５は、印刷部３５の構成を模式的に示す図である。
【００４５】
印刷部３５は、用紙等の記録媒体やタブ紙等の挿入紙を供給する給紙ユニット５０、記録媒体に画像を形成する画像形成ユニット４０、および用紙やタブ紙が排出される排紙ユニット６０を有している。また、印刷部３５は、用紙の表裏を反転させるための反転機構部７０を備えている。
【００４６】
印刷部３５の画像形成ユニット４０は、矢印方向に回転する感光体ドラム４１、帯電装置４２、露光装置４３、現像装置４４、中間転写ベルト４５、清掃装置４６、および定着装置４７を有している。感光体ドラム４１の表面が帯電装置４２により一様に帯電された後、露光装置４３よりレーザを照射することにより、感光体ドラム４１の表面に静電潜像が作成される。静電潜像は感光体ドラム４１の回転に伴い、トナーが感光体ドラム４１上の静電潜像に付着して静電潜像が顕像化される。現像装置４４は、シアン（Ｃ）、マゼンタ（Ｍ）、イエロー（Ｙ）、ブラック（Ｋ）の各色の現像ローラ４８を有しており、顕像化された各色のトナー画像は、転写部４９まで搬送されて順次中間転写ベルト４５上に転移されて重ね合わされ、重ね合わされたカラーの画像が、給紙ユニット５０から搬送されてきた用紙に転写される。用紙上のトナー画像は、定着装置４７で定着されて、排紙ユニット６０に排出される。
【００４７】
給紙ユニット５０は、複数の給紙トレイ５１〜５４を備えている。給紙トレイ５４は手差し給紙トレイである。一方、排紙ユニット６０は、複数の排紙トレイ６１〜６４を備えている。排紙ユニット６０は、搬送されてきた用紙に対してパンチ穴開け処理、ステープル綴じ処理等のフィニッシング処理を施す後処理部を備えていてもよい。
【００４８】
図６は、本実施形態で使用されるタブ紙の例を示す図であり、ここでは、５タブのタブ紙６００を示す。タブ紙はインデックス紙とも呼ばれる。図６に示すように、タブ紙６００は、５枚の構成要素としてのタブ紙６１１〜６１５からなる１セットのタブ紙であり、５タブと称される。タブ紙６１１〜６１５は、それぞれ矩形状の本体と、当該本体の一辺の所定位置に設けられる突出したタブ６２１〜６２５とを備えている。
【００４９】
図６に示されるタブ紙の並び順は正順と呼ばれ、タブが本体の右側に位置されたときに上層のタブが下層のタブよりも図６の上側に位置するように並べられる。５タブのタブ紙６００の場合、タブ６２１〜５２５は、本体の一辺の上部から順に５段階にてそれぞれ下降した位置に設けられている。ここで、タブ６２１の位置は１／５、タブ６２２の位置は２／５、タブ６２３の位置は３／５、タブ６２４の位置は４／５、タブ６２５の位置は５／５、と称される。タブ紙６００は、通常複数セット分重ねられて所定の給紙トレイにセットされる。
【００５０】
次に、本実施形態におけるネットワークシステムの動作について説明する。
【００５１】
図７は、ＰＣ１における処理の手順を示すフローチャートである。なお、図７のフローチャートにより示されるアルゴリズムは、ＰＣ１のハードディスク１４等の記憶部にプログラムとして記憶されており、ＣＰＵ１１によって実行される。
【００５２】
前提として、ＰＣ１にて印刷しようとする文書ファイルが作成される。文書ファイルはＰＣ１にインストールされたアプリケーションにより作成される。
【００５３】
文書ファイルの印刷処理を行う際、ユーザの操作に基づいて、アプリケーションの印刷設定ダイアローグを介して、プリンタドライバが起動される（Ｓ１０１）。
【００５４】
続いて、プリンタドライバによって表示される印刷設定画面において、例えば選択用タブ１０１（図８参照）をクリックすることによりタブ紙に関する設定の開始要求が受け付けられ、タブ紙設定画面がディスプレイ１５に表示される（Ｓ１０２）。
【００５５】
図８は、タブ紙設定画面１００の一例を示す図である。
【００５６】
タブ紙設定画面１００は、印刷対象となる文書中の第１の一区切りである「章」の変わり目に挿入される大分類用タブ紙としての章用タブ紙の挿入に関する設定を行うための第１タブ紙挿入設定部１１０、および文書中の上記第１の一区切りよりも細かい第２の一区切りである「節」の変わり目に挿入される小分類用タブ紙としての節用タブ紙の挿入に関する設定を行うための第２タブ紙挿入設定部１２０を有している。
【００５７】
第１タブ紙挿入設定部１１０は、章用タブ紙が挿入されるページを示す挿入ページ位置をユーザが指定可能な第１挿入ページ位置設定部１１１を含み、第２タブ紙挿入設定部１２０は、節用タブ紙が挿入されるページを示す挿入ページ位置をユーザが指定可能な第２挿入ページ位置設定部１２１を含んでいる。ここでのページとは、通常の印刷対象となる文書のページをいい、タブ紙を含まない概念である。本実施形態では、タブ紙は、設定された挿入ページ位置が示すページの後に挿入される。ただし、タブ紙は、設定された挿入ページ位置が示すページの前に挿入されるように設定されてもよい。
【００５８】
また、第１タブ紙挿入設定部１１０は、章用タブ紙の種類をユーザが選択可能な第１タブ紙種類設定部１１２を含み、第２タブ紙挿入設定部１２０は、節用タブ紙の種類をユーザが選択可能な第２タブ紙種類設定部１２２を含んでいる。第１タブ紙種類設定部１１２および第２タブ紙種類設定部１２２は、それぞれタブ紙の種類の複数の選択肢を表示する。タブ紙の種類としては、図６に示した５タブに限定されるものではなく、例えば７タブ、１０タブ等の異なる枚数の構成要素からなるタブ紙、あるいは色の異なるタブ紙などが含まれてもよい。
【００５９】
本実施形態では、第１タブ紙種類設定部１１２および第２タブ紙種類設定部１２２において、同じ種類のタブ紙が選択される場合について説明する。なお、章用タブ紙および節用タブ紙として共通して使用されるタブ紙の種類をユーザが選択可能な一つのタブ紙種類設定部が設けられていてもよい。
【００６０】
また、第１タブ紙挿入設定部１１０は、タブ紙におけるタブに印刷を施すか否かの設定を行うための第１タブ印刷設定部１１３を含み、第２タブ紙挿入設定部１２０は、タブ紙におけるタブに印刷を施すか否かの設定を行うための第２タブ印刷設定部１２３を含んでいる。ここでは、選択肢として「Ｐｒｉｎｔ」と「Ｂｌａｎｋ」との２つがあり、「Ｐｒｉｎｔ」を選択することによりタブに印刷を施す設定となり、「Ｂｌａｎｋ」を選択することによりタブに印刷を施さない設定となる。
【００６１】
また、第１タブ紙挿入設定部１１０は、章用タブ紙の給紙トレイをユーザが選択可能な第１給紙トレイ設定部１１４を含み、第２タブ紙挿入設定部１２０は、節用タブ紙の給紙トレイをユーザが選択可能な第２給紙トレイ設定部１２４を含んでいる。第１給紙トレイ設定部１１４および第２給紙トレイ設定部１２４は、それぞれ給紙トレイの複数の選択肢を表示する。ここでは、「Ｔｒａｙ１」は給紙トレイ５１を示し、「Ｔｒａｙ２」は給紙トレイ５２を示している（図５参照）。
【００６２】
本実施形態では、第１給紙トレイ設定部１１４および第２給紙トレイ設定部１２４において、同じ給紙トレイが選択される場合について説明する。なお、章用タブ紙および節用タブ紙に対して共通して使用される給紙トレイをユーザが選択可能な一つのタブ紙種類設定部が設けられていてもよい。
【００６３】
タブ紙設定画面１００はさらに、第１挿入ページ位置設定部１１１において設定された挿入ページ位置に対応する章用タブ紙の設定を行う第１タブ紙設定部１３０と、第２挿入ページ位置設定部１２１において設定された挿入ページ位置に対応する節用タブ紙の設定を行う第２タブ紙設定部１４０とを有している。
【００６４】
第１タブ紙設定部１３０は、設定の対象ページ位置をユーザが指定可能な第１対象ページ位置設定部１３１を含み、第２タブ紙設定部１４０は、設定の対象ページ位置をユーザが指定可能な第２対象ページ位置設定部１４１を含んでいる。ここで、第１対象ページ位置設定部１３１は、第１挿入ページ位置設定部１１１において設定された挿入ページ位置を選択可能に表示する。例えば図８の場合、第１対象ページ位置設定部１３１は、１、および５ページの２つの選択肢を表示する。第２対象ページ位置設定部１４１は、第２挿入ページ位置設定部１２１において設定された挿入ページ位置を選択可能に表示する。例えば図８の場合、第２対象ページ位置設定部１４１は、１、３、４、７、および９ページの５つの選択肢を表示する。
【００６５】
また、第１タブ紙設定部１３０は、第１挿入ページ位置設定部１１１において設定された挿入ページ位置に対応する章用タブ紙におけるタブの位置を表示するための第１タブ位置表示部１３２を含む。一方、第２タブ紙設定部１４０は、第２挿入ページ位置設定部１２１において設定された挿入ページ位置に対応する節用タブ紙におけるタブの位置を表示するための第２タブ位置表示部１４２を含んでいる。
【００６６】
また、第１タブ紙設定部１３０は、第１挿入ページ位置設定部１１１において設定された挿入ページ位置に対応する章用タブ紙のタブに印刷する情報を指定するための第１タブ印刷情報設定部１３３を含み、第２タブ紙設定部１４０は、第２挿入ページ位置設定部１２１において設定された挿入ページ位置に対応するタブ紙のタブに印刷する情報を指定するための第２タブ印刷情報設定部１４３を含んでいる。
【００６７】
本実施形態では、第１挿入ページ位置設定部１１１において指定された挿入ページ位置に対応する章用タブ紙におけるタブの位置は、本体の一辺の上部から順に下降するように、つまりタブ紙の並び順に自動的に設定され、設定されたタブの位置が第１タブ位置表示部１３２に表示される。
【００６８】
また、タブ紙設定画面１００は、章のタブ位置とその章に含まれる最初の節のタブ位置を同じに設定するためのユーザが指定可能なチェックボックス１５０を含んでいる。すなわち、チェックボックス１５０は、次に挿入すべきタブ紙が章用タブ紙から節用タブ紙に変化する場合に、先ず、変化直前の章用タブ紙と同じタブ位置のタブ紙を節用タブ紙として挿入することをユーザが指定する場合にチェックされる。そして、本実施形態では、チェックボックス１５０にチェックが入れられていないときには、次に挿入すべきタブ紙が章用タブ紙から節用タブ紙に変化する場合に、先ず、変化直前の章用タブ紙に対して次のタブ位置となるタブ紙を節用タブ紙として挿入することが指定されることになる。
【００６９】
したがって、本実施形態では、第２挿入ページ位置設定部１２１において指定された挿入ページ位置に対応する節用タブ紙におけるタブの位置に関して、次に挿入すべきタブ紙が章用タブ紙から節用タブ紙に変化する場合の先頭の節用タブ紙のタブ位置がチェックボックス１５０へのチェックの有無に基づいて設定されて、続く節用タブ紙のタブ位置がタブ紙の並び順に自動的に設定され、設定されたタブの位置が第２タブ位置表示部１４２に表示される。
【００７０】
なお、第１タブ位置表示部１３２および第２タブ位置表示部１４２は省略可能である。章用タブ紙におけるタブの位置は、第１挿入ページ位置設定部１１１において指定された挿入ページ位置と、第１タブ紙種類設定部１１２において選択されたタブ紙の種類とに基づいて、印刷システム４において把握可能であり、節用タブ紙におけるタブの位置は、第２挿入ページ位置設定部１２１において指定された挿入ページ位置と、第２タブ紙種類設定部１２２において選択されたタブ紙の種類と、チェックボックス１５０へのチェックの有無とに基づいて、印刷システム４において把握可能だからである。
【００７１】
図７のフローチャートに戻って、ステップＳ１０３では、タブ紙設定画面１００を用いて、ユーザによるタブ紙に関する指定が受け付けられる。
【００７２】
ステップＳ１０４では、タブ紙設定画面１００における設定作業が終了したか否かが判断される。例えば、タブ紙設定画面１００とは異なる他の印刷設定画面に表示が切り替えられて図示しない印刷開始の指示ボタンがクリックされた場合に、タブ紙設定画面１００における設定作業が終了したと判断される。タブ紙設定画面１００における設定作業が終了していない場合（Ｓ１０４：ＮＯ）、ステップＳ１０２に戻る。
【００７３】
タブ紙設定画面１００における設定作業が終了した場合（Ｓ１０４：ＹＥＳ）、アプリケーションを使用して作成した文書ファイルが変換されることによってＰＤＬデータが作成される（Ｓ１０５）。
【００７４】
ここで、上記ステップＳ１０３において得られたタブ紙に関する設定情報は、ＰＤＬデータ内にコマンドデータとして記述される。なお、他の設定情報もＰＤＬデータ内にコマンドデータとして記述される。
【００７５】
続いて、ステップＳ１０６では、作成されたＰＤＬデータは、ネットワーク５を経由して、印刷システム４のプリンタコントローラ２に送信される。
【００７６】
次に、図９を参照して、プリンタコントローラ２における処理について説明する。なお、図９のフローチャートにより示されるアルゴリズムは、プリンタコントローラ２のハードディスク２４等の記憶部にプログラムとして記憶されており、ＣＰＵ２１によって実行される。
【００７７】
まず、プリンタコントローラ２は、ＰＣ１からＰＤＬデータを受信し（ステップＳ２０１）、ＰＤＬデータ内に記述されたコマンドデータが解析される（Ｓ２０２）。ここで、コマンドデータが解析されることにより、タブ紙に関する設定情報が認識される。
【００７８】
続いて、受信したＰＤＬデータに対してラスタライズ処理が施されて、ビットマップ形式の画像データであるビットマップデータが得られる（Ｓ２０３）。
【００７９】
そして、ステップＳ２０３で得られたビットマップデータに、タブ紙に関する設定情報を含むヘッダ情報が付加されて、印刷データが作成され（Ｓ２０４）、当該印刷データが印刷ジョブとしてプリンタ３に送信される（Ｓ２０５）。
【００８０】
次に、図１０〜１２を参照して、プリンタ３における処理について説明する。なお、図１０〜１２のフローチャートにより示されるアルゴリズムは、プリンタ３のＲＯＭ３２等の記憶部にプログラムとして記憶されており、ＣＰＵ３１によって実行される。
【００８１】
プリンタ３は、プリンタコントローラ２から印刷データを印刷ジョブとして受信する（Ｓ３０１）。続いて、プリンタ３は印刷処理を実行する（Ｓ３０２）。
【００８２】
図１１に示すように、印刷処理が開始されると、まず、ヘッダ情報のうちのジョブヘッダが解析される（Ｓ４０１）。
【００８３】
ステップＳ４０２では、ジョブヘッダの解析の結果、タブ紙の挿入要求が存在するか否かが判断される。
【００８４】
タブ紙の挿入要求が存在しない場合（Ｓ４０２：ＮＯ）、通常の印刷、すなわち１ページ分の印刷が実行され（Ｓ４０８）、ステップＳ４０７に進む。
【００８５】
一方、タブ紙の挿入要求が存在する場合（Ｓ４０２：ＹＥＳ）、タブフラグが「１」にセットされる（Ｓ４０３）。ここでは、タブフラグは、章用タブ紙の場合に「１」、節用タブ紙の場合に「０」とされる。また、給紙トレイ５１内の一番上のタブ紙のタブ位置（「現在のタブ位置」）が把握される。ここでは、「現在のタブ位置」として、デフォルト値である先頭のタブ位置（例えば５タブの場合１／５）が把握される場合について説明する。また、ここで、「章のタブ位置」に対して「現在のタブ位置」と同じ値がセットされる。なお、「現在のタブ位置」および「章のタブ位置」はプリンタ３のＲＡＭ３３等の記憶部に記憶される。
【００８６】
続いて、ページヘッダの解析が行われる（Ｓ４０４）。ここで、ページヘッダの解析は、印刷ジョブ中の記述にしたがってページごとに順番に行われる。タブ紙についての処理は、印刷ジョブ中の通常ページとは別に、タブ紙挿入指定ページすなわちタブページについての処理として実行される。
【００８７】
ページヘッダの解析の結果、タブ紙の挿入指定ページすなわちタブページか否かが判断される（Ｓ４０５）。
【００８８】
タブ紙の挿入指定ページでない場合（Ｓ４０５：ＮＯ）、通常の印刷、すなわち１ページ分の印刷が実行され（Ｓ４０８）、ステップＳ４０７に進む。
【００８９】
一方、タブ紙の挿入指定ページである場合（Ｓ４０５：ＹＥＳ）、タブ紙の挿入／排出処理が行われる（Ｓ４０６）。タブ紙の挿入／排出処理についての詳細は後述する。
【００９０】
ステップＳ４０７では、印刷データにおけるジョブエンドが検出されたか否かが判断される。すなわち、印刷データについてのすべての処理が終了したか否かが判断される。
【００９１】
ジョブエンドが検出されなかった場合（Ｓ４０７：ＮＯ）、ステップＳ４０４に戻って、次のページの処理が行われる。一方、ステップＳ４０７においてジョブエンドが検出された場合（Ｓ４０７：ＹＥＳ）、図１０のフローチャートに戻る。
【００９２】
次に、図１２を参照して、タブ紙の挿入／排出処理について説明する。
【００９３】
まず、ステップＳ４０５においてタブ紙の挿入指定ページであると判断されたときのタブ紙は、章用タブ紙および節用タブ紙のいずれであるかが判断される（Ｓ５０１）。
【００９４】
章用タブ紙であると判断された場合（Ｓ５０１：章用タブ紙）、「現在のタブ位置」と「章のタブ位置」は同じであるか否かが判断される（Ｓ５０２）。
【００９５】
例えば印刷物に対して最初に挿入される章用タブ紙の場合のように、「現在のタブ位置」と「章のタブ位置」が同じであると判断された場合（Ｓ５０２：ＹＥＳ）、ステップＳ５０４に進む。
【００９６】
一方、例えば印刷物に対して２回目に挿入される章用タブ紙の場合であってその前に節用タブ紙が挿入されたときのように、「現在のタブ位置」と「章のタブ位置」がずれていて異なると判断された場合（Ｓ５０２：ＮＯ）、ステップＳ５０３に進む。
【００９７】
ステップＳ５０３では、タブ紙の排出処理１が実行される。すなわち、給紙トレイから次に供給されるタブ紙のタブ位置が、次に挿入すべき章用タブ紙のタブ位置と一致するまで、給紙トレイ５１内のタブ紙が不要タブ紙として排出される。ここで、不要タブ紙は、印刷ジョブの通常のページに基づく印刷物の排出先とは異なる排紙トレイに排出される。また、不要タブ紙としてのタブ紙の排出回数分だけ、「現在のタブ位置」が１／Ｔａｂ数だけインクリメントされて更新される。ここで、Ｔａｂ数とは、１セット中のタブ位置が異なるタブ紙の数をいい、見出し数とも呼ばれる。なお、タブ位置が「１」を超える場合には先頭のタブ位置とされる（以下においても同じ）。
【００９８】
ステップＳ５０４では、「章のタブ位置」がインクリメントされる。
【００９９】
続いて、タブフラグが「１」にセットされ（Ｓ５０５）、ステップＳ５０６に進む。
【０１００】
ステップＳ５０６では、指定された給紙トレイ（図８の場合、給紙トレイ５１）からタブ紙が供給され、所定のページ位置に挿入される。このタブ紙は、タブへの印刷指定がある場合には当該印刷が行われた後、印刷ジョブの通常のページに基づく印刷物の排出先と同じ排紙トレイに排出される。そして、「現在のタブ位置」が、１／Ｔａｂ数だけインクリメントされ、図１１のフローチャートに戻る。
【０１０１】
一方、ステップＳ５０１において節用タブ紙であると判断された場合（Ｓ５０１：節用タブ紙）、タブフラグが「１」であるか否かが判断される（Ｓ５０７）。
【０１０２】
例えば前回節用タブ紙を挿入したのに続いてさらに節用タブ紙を挿入する場合のように、ステップＳ５０７においてタブフラグが「１」でない場合、ステップＳ５１０に進む。
【０１０３】
例えば次に挿入すべきタブ紙が章用タブ紙から節用タブ紙に変化する場合のように、ステップＳ５０７においてタブフラグが「１」であると判断された場合、ステップＳ５０８に進む。
【０１０４】
ステップＳ５０８では、章とその章に含まれる最初の節のタブ位置が同じに設定されているか否かが判断される。
【０１０５】
ステップＳ５０８において章とその章に含まれる最初の節のタブ位置が同じに設定されていないと判断された場合（Ｓ５０８：ＮＯ）、次に挿入すべきタブ紙が章用タブ紙から節用タブ紙に変化する場合に、変化直前の章用タブ紙に対して次のタブ位置となるタブ紙を節用タブ紙として挿入することが指定されているものと判断されて、ステップＳ５１０に進む。
【０１０６】
ステップＳ５０８において章とその章に含まれる最初の節のタブ位置が同じに設定されていると判断された場合（Ｓ５０８：ＹＥＳ）、ステップＳ５０９に進む。
【０１０７】
ステップＳ５０９では、タブ紙の排出処理２が実行される。すなわち、給紙トレイから次に供給されるタブ紙のタブ位置が、次に挿入すべきタブ紙が章用タブ紙から節用タブ紙に変化する変化直前の章用タブ紙のタブ位置と一致するまで、給紙トレイ５１内のタブ紙が不要タブ紙として排出される。ここで、不要タブ紙は、印刷ジョブの通常のページに基づく印刷物の排出先とは異なる排紙トレイに排出される。また、不要タブ紙としてのタブ紙の排出回数分だけ、「現在のタブ位置」が１／Ｔａｂ数だけインクリメントされて更新される。
【０１０８】
続いて、タブフラグが「０」にセットされ（Ｓ５１０）、ステップＳ５０６に進む。
【０１０９】
図１３は、第１の実施形態にしたがって作成された印刷物の一例を説明するための図である。ここで、図１３は、図８のチェックボックス１５０にチェックが入れられた場合の例を示す。図１３の例では、章用タブ紙のタブ位置は順番に変化させられる。また、章から節に変化するときの最初の節用タブ紙のタブ位置は、変化直前の章用タブ紙と同じタブ位置となり、続いて挿入される節用タブ紙のタブ位置は順番に変化させられる。
【０１１０】
図１４は、第１の実施形態にしたがって作成された印刷物の他の例を説明するための図である。ここで、図１４は、図８のチェックボックス１５０にチェックが入れられなかった場合の例を示す。図１４の例では、章用タブ紙のタブ位置は順番に変化させられる。また、章から節に変化するときの最初の節用タブ紙のタブ位置は、変化直前の章用タブ紙に対して次のタブ位置となり、続いて挿入される節用タブ紙のタブ位置は順番に変化させられる。
【０１１１】
上述のように、第１の実施形態では、同じ種類のタブ紙が同じ給紙トレイから供給される。そして、一つの文書の印刷の際に、給紙トレイから次に供給されるタブ紙のタブ位置が、次に挿入すべきタブ紙のタブ位置と一致していない場合、両タブ位置が一致するまで、給紙トレイ内のタブ紙が不要タブ紙として排出される。
【０１１２】
したがって、タブ位置が順次ずれた構成要素としてのタブ紙が、給紙トレイに積層して設置された順番にしたがって供給されて印刷物に挿入されるのではなく、章用タブ紙か節用タブ紙かによって、挿入するタブ紙のタブ位置の変化態様を異ならせることができる。つまり、同じ種類のタブ紙が同じ給紙トレイから供給される場合であっても、タブ紙を章用タブ紙と節用タブ紙とに区別して使用することが可能となる。
【０１１３】
これにより、同じ種類のタブ紙が同じ給紙トレイから供給される場合であっても、ユーザは、出来上がった印刷物において章用タブ紙と節用タブ紙とを一見して区別することができ、印刷物における所望のページをタブ紙に基づいて容易かつ迅速に閲覧することが可能となる。
【０１１４】
次に、第２の実施形態について、第１の実施形態と相違する点を中心に説明する。
【０１１５】
第２の実施形態では、章用タブ紙として使用されるタブ紙のタブ位置の範囲と、節用タブ紙として使用されるタブ紙のタブ位置の範囲とが、ユーザにより指定可能とされる。
【０１１６】
図７のフローチャートは、第１の実施形態と同様に、第２の実施形態でのＰＣ１における処理の手順を示す。
【０１１７】
図７のステップＳ１０２では、プリンタドライバによって表示される印刷設定画面において、例えば選択用タブ１０１（図１５参照）をクリックすることによりタブ紙に関する設定の開始要求が受け付けられ、タブ紙設定画面がディスプレイ１５に表示される。
【０１１８】
図１５は、第２の実施形態におけるタブ紙設定画面１００ａの一例を示す図である。
【０１１９】
タブ紙設定画面１００ａにおいて、第１タブ紙挿入設定部１１０は、章用タブ紙として使用されるタブ紙のタブ位置の範囲を示す第１タブ位置範囲をユーザが指定可能な第１タブ位置範囲設定部１１５を含み、第２タブ紙挿入設定部１２０は、節用タブ紙として使用されるタブ紙のタブ位置の範囲を示す第２タブ位置範囲をユーザが指定可能な第２タブ位置範囲設定部１２５を含んでいる。ただし、タブ紙設定画面１００ａは、第１の実施形態のタブ紙設定画面１００におけるようなチェックボックス１５０を含んでいない。
【０１２０】
なお、第２の実施形態では、タブ紙は、設定された挿入ページ位置が示すページの前に挿入される点で、第１の実施形態と相違している。ただし、タブ紙は、設定された挿入ページ位置が示すページの後に挿入されるように設定されてもよい。
【０１２１】
図７のステップＳ１０３では、タブ紙設定画面１００ａを用いて、ユーザによるタブ紙に関する指定が受け付けられる。
【０１２２】
図１５に示すように、第１タブ位置範囲には、章用タブに使用されることを考慮して、前半のタブ位置が指定され、第２タブ位置範囲には、節用タブに使用されることを考慮して、後半のタブ位置が指定される。図１５の例では、第１タブ位置範囲が１／５〜２／５、第２タブ位置範囲が３／５〜５／５と指定されている。
【０１２３】
図９のフローチャートは、第１の実施形態と同様に、第２の実施形態でのプリンタコントローラ２における処理の手順を示す。また、図１０のフローチャートは、第１の実施形態と同様に、第２の実施形態でのプリンタ３における処理の手順を示す。
【０１２４】
さらに、図１１のフローチャートは、第１の実施形態と同様に、第２の実施形態における印刷処理（ステップＳ３０２）の手順を示す。
【０１２５】
図１１のステップＳ４０１において、印刷処理が開始されると、まず、ヘッダ情報のうちのジョブヘッダが解析される。
【０１２６】
図１６は、第２の実施形態におけるヘッダ情報の概念図である。ヘッダ情報３００は、印刷ジョブ全体に関係する付加情報であるジョブヘッダ３１０と、印刷ジョブ内の特定のページに関係する付加情報であるページヘッダ３２０とから構成されている。
【０１２７】
例えば図１６のジョブヘッダ３１０は、以下の内容のタブ紙に関する設定情報を含んでいる。すなわち、タブ紙（章用タブ紙および節用タブ紙）の給紙元が「Ｔｒａｙ１」（図５の給紙トレイ５１）、タブ紙の種類が５タブ、タブ紙の挿入ページ位置が１、２、４、６、１０、１１、１２、および１４ページである。また、章用タブ紙として使用されるタブ紙のタブ位置の範囲が１／５〜２／５であり、章用タブ紙として使用されるタブ紙の挿入ページ位置が１、および１０ページである。また、節用タブ紙として使用されるタブ紙のタブ位置の範囲が３／５〜５／５であり、節用タブ紙として使用されるタブ紙の挿入ページ位置が２、４、６、１１、１２、および１４ページである。
【０１２８】
また、図１６のページヘッダ３２０において、「Ｐ１」、「Ｐ２」…は、印刷対象となる文書の通常のページの番号を示し、「Ｔｒａｙ１」は、そのページ位置に対して挿入されるタブ紙の給紙トレイを示し、「ＪｏｂＴｒａｙ」は、そのページ位置に対して挿入されるタブ紙は存在せず、そのページの印刷に使用される用紙は印刷ジョブで指定された給紙トレイから供給されることを示す。
【０１２９】
次に、図１７を参照して、第２の実施形態におけるタブ紙の挿入／排出処理について説明する。
【０１３０】
まず、図１１のステップＳ４０５においてタブ紙の挿入指定ページであると判断されたときのタブ紙は、章用タブ紙および節用タブ紙のいずれであるかが判断される（Ｓ６０１）。
【０１３１】
章用タブ紙であると判断された場合（Ｓ６０１：章用タブ紙）、タブフラグが「１」であるか否かが判断される（Ｓ６０２）。
【０１３２】
例えば印刷物に対して最初に章用タブ紙が挿入される場合、あるいは先に章用タブ紙が挿入されたのに続いて再度章用タブ紙が挿入される場合のように、ステップＳ６０２で、タブフラグが「１」であると判断された場合（Ｓ６０２：ＹＥＳ）、ステップＳ６０３に進む。
【０１３３】
ステップＳ６０３では、「現在のタブ位置」は、章用タブ紙の場合には設定された第１タブ位置範囲内であるか否か、節用タブ紙の場合には設定された第２タブ位置範囲内であるか否かが判断される。ここで、「現在のタブ位置」が設定範囲内でない場合（Ｓ６０３：ＮＯ）、指定された給紙トレイ５１内のタブ紙が不要タブ紙として１枚排出される（Ｓ６０４）。ここで、不要タブ紙は、印刷ジョブの通常のページに基づく印刷物の排出先とは異なる排紙トレイに排出される。また、「現在のタブ位置」が１／Ｔａｂ数だけインクリメントされる。そして、ステップＳ６０３に戻る。
【０１３４】
ステップＳ６０３において、「現在のタブ位置」が設定範囲内であると判断された場合（Ｓ６０３：ＹＥＳ）、ステップＳ６０５に進む。
【０１３５】
ステップＳ６０５では、指定された給紙トレイ５１からタブ紙が供給され、所定のページ位置に挿入される。このタブ紙は、タブへの印刷指定がある場合には当該印刷が行われた後、印刷ジョブの通常のページに基づく印刷物の排出先と同じ排紙トレイに排出される。そして、「現在のタブ位置」が、１／Ｔａｂ数だけインクリメントされ、図１１のフローチャートに戻る。
【０１３６】
一方、ステップＳ６０１において、節用タブ紙であると判断された場合（Ｓ６０１：節用タブ紙）、タブフラグが「０」であるか否かが判断される（Ｓ６０６）。
【０１３７】
ステップＳ６０６で、タブフラグが「０」であると判断された場合（Ｓ６０６：ＹＥＳ）、先に節用タブ紙が挿入されたのに続いて再度節用タブ紙が挿入されると判断され、ステップＳ６０３に進む。
【０１３８】
一方、ステップＳ６０６において、タブフラグが「０」でないと判断された場合（Ｓ６０６：ＮＯ）、先に節用タブ紙が挿入されたのに続いて今度は章用タブ紙が挿入されると判断され、タブフラグが「０」にセットされる（Ｓ６０７）。また、ここで、「章のタブ位置」に対して「現在のタブ位置」と同じ値がセットされる。これにより、その時点における「章のタブ位置」が記憶される。そして、ステップＳ６０８に進む。
【０１３９】
ステップＳ６０８では、「現在のタブ位置」は、設定された第２タブ位置範囲における先頭のタブ位置（図１５の場合、３／５）であるか否かが判断される。ここで、「現在のタブ位置」が設定範囲における先頭のタブ位置でない場合（Ｓ６０８：ＮＯ）、指定された給紙トレイ５１内のタブ紙が不要タブ紙として１枚排出される（Ｓ６０９）。ここで、不要タブ紙は、印刷ジョブの通常のページに基づく印刷物の排出先とは異なる排紙トレイに排出される。また、「現在のタブ位置」が１／Ｔａｂ数だけインクリメントされる。そして、ステップＳ６０８に戻る。
【０１４０】
ステップＳ６０８において、「現在のタブ位置」が設定範囲における先頭のタブ位置であると判断された場合（Ｓ６０８：ＹＥＳ）、ステップＳ６０５に進む。
【０１４１】
一方、ステップＳ６０２において、タブフラグが「１」でないと判断された場合（Ｓ６０２：ＮＯ）、先に節用タブ紙が挿入されたのに続いて今度は章用タブ紙が挿入されると判断され、タブフラグが「１」にセットされて、ステップＳ６１１に進む。
【０１４２】
ステップＳ６１１では、「現在のタブ位置」と「章のタブ位置」が一致しているか否かが判断される。ここで、「現在のタブ位置」と「章のタブ位置」が一致していない場合（Ｓ６１１：ＮＯ）、指定された給紙トレイ５１内のタブ紙が不要タブ紙として１枚排出される（Ｓ６２２）。ここで、不要タブ紙は、印刷ジョブの通常のページに基づく印刷物の排出先とは異なる排紙トレイに排出される。また、「現在のタブ位置」が１／Ｔａｂ数だけインクリメントされる。そして、ステップＳ６１１に戻る。
【０１４３】
ステップＳ６１１において、「現在のタブ位置」と「章のタブ位置」が一致していると判断された場合（Ｓ６１１：ＹＥＳ）、ステップＳ６０５に進む。
【０１４４】
上述のように、第２の実施形態においても、同じ種類のタブ紙が同じ給紙トレイから供給される。そして、一つの文書の印刷の際に、給紙トレイから次に供給されるタブ紙のタブ位置が、次に挿入すべきタブ紙のタブ位置と一致していない場合、両タブ位置が一致するまで、給紙トレイ内のタブ紙が不要タブ紙として排出される。特に第２の実施形態では、ユーザにより指定された、章用タブ紙として使用されるタブ紙のタブ位置の範囲を示す第１タブ位置範囲、および節用タブ紙として使用されるタブ紙のタブ位置の範囲を示す第２タブ位置範囲が取得される。したがって、次に挿入すべきタブ紙のタブ位置は、章用タブ紙として使用される場合には第１タブ位置範囲内で順番に変化させられ、節用タブ紙として使用される場合には第２タブ位置範囲内で順番に変化させられる。
【０１４５】
図１８は、第２の実施形態にしたがって作成された印刷物の一例を説明するための図である。
【０１４６】
このように第２の実施形態によれば、第１の実施形態と同様に、同じ種類のタブ紙が同じ給紙トレイから供給される場合であっても、ユーザは、出来上がった印刷物において章用タブ紙と節用タブ紙とを一見して区別することができ、印刷物における所望のページをタブ紙に基づいて容易かつ迅速に閲覧することが可能となる。
【０１４７】
本発明は、上記した実施形態のみに限定されるものではなく、特許請求の範囲内において、種々改変することができる。
【０１４８】
例えば、上記実施形態では、文書中の一区切りの例として「章」および「節」の２つを挙げて説明したが、本発明はこれに限定されるものではない。文書中の一区切りは、例えば「部」および「章」の２つであってもよく、あるいは例えば「部」「章」および「節」等の３つ以上であってもよい。
【０１４９】
また、上記実施形態では、タブ紙に関する設定についての処理がプリンタドライバによって行われる場合について説明したが、プリンタドライバではなくアプリケーションによって行われることもできる。
【０１５０】
また、上記実施形態では、タブ紙に関する設定が、ＰＣ１のディスプレイ１５上に表示されるタブ紙設定画面を用いて行われる場合について説明したが、プリンタ３の操作パネル部３４上に表示されるタブ紙設定画面を用いて行われることもできる。
【０１５１】
また、上記実施形態では、印刷システム４がプリンタコントローラ２とプリンタ３に分けられ、互いにローカル接続された構成の場合について述べたが、プリンタコントローラ２はプリンタ３の中に内包されていてもよい。
【０１５２】
また、上記実施形態では、画像形成装置としてプリンタが採用されているが、本発明はこれに限定されるものではない。本発明は、例えばＭＦＰ（Ｍｕｌｔｉ−Ｆｕｎｃｔｉｏｎ  Ｐｅｒｉｐｈｅｒａｌ）、複写機等の画像形成装置にも適用可能である。
【０１５３】
本実施形態のネットワークシステムにおける各種処理を行う手段および方法は、専用のハードウェア回路、またはプログラムされたコンピュータのいずれによっても実現することが可能である。上記プログラムは、たとえばフレキシブルディスクやＣＤ−ＲＯＭなどのコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送されて記憶される。また、上記プログラムは、単独のアプリケーションソフトとして提供されてもよいし、装置の一機能としてその装置のソフトウェアに組み込まれてもよい。
【図面の簡単な説明】
【０１５４】
【図１】本発明の第１の実施形態にかかるネットワークシステムの全体構成を示すブロック図である。
【図２】図１に示されるＰＣの構成を示すブロック図である。
【図３】図１に示される印刷システムのプリンタコントローラの構成を示すブロック図である。
【図４】図１に示される印刷システムのプリンタの構成を示すブロック図である。
【図５】印刷部の構成を模式的に示す図である。
【図６】本実施形態で使用されるタブ紙の例を示す図である。
【図７】ＰＣにおける処理の手順を示すフローチャートである。
【図８】タブ紙設定画面の一例を示す図である。
【図９】プリンタコントローラにおける処理の手順を示すフローチャートである。
【図１０】プリンタにおける処理の手順を示すフローチャートである。
【図１１】印刷処理の手順を示すフローチャートである。
【図１２】タブ紙の挿入／排出処理の手順を示すフローチャートである。
【図１３】第１の実施形態にしたがって作成された印刷物の一例を説明するための図である。
【図１４】第１の実施形態にしたがって作成された印刷物の他の例を説明するための図である。
【図１５】第２の実施形態におけるタブ紙設定画面の一例を示す図である。
【図１６】第２の実施形態におけるヘッダ情報の概念図である。
【図１７】第２の実施形態におけるタブ紙の挿入／排出処理の手順を示すフローチャートである。
【図１８】第２の実施形態にしたがって作成された印刷物の一例を説明するための図である。
【符号の説明】
【０１５５】
１    ＰＣ、
２    プリンタコントローラ、
３    プリンタ、
４    印刷システム、
５    ネットワーク、
１１，２１，３１    ＣＰＵ、
１２，２２，３２    ＲＯＭ、
１３，２３，３３    ＲＡＭ、
１４，２４    ハードディスク、
１５    ディスプレイ、
１６    入力装置、
１７，２６    ネットワークインタフェース、
１８，２７，３７    バス、
２５    プリンタインターフェース、
３４    操作パネル部、
３５    印刷部、
３６    コントローラインターフェース、
４０    画像形成ユニット、
５０    給紙ユニット、
５１〜５４    給紙トレイ、
６０    排紙ユニット、
６１〜６４    排紙トレイ、
１００，１００ａ    タブ紙設定画面、
１０１    選択用タブ、
１１１    第１挿入ページ位置設定部、
１２１    第２挿入ページ位置設定部、
１１２    第１タブ紙種類設定部、
１２２    第２タブ紙種類設定部、
１１４    第１給紙トレイ設定部、
１２４    第２給紙トレイ設定部、
６００    タブ紙、
６１１〜６１５    タブ紙（構成要素）、
６２１〜６２５    タブ。
【図１】
2008201033.tif 000003
【図２】
2008201033.tif 000004
【図３】
2008201033.tif 000005
【図４】
2008201033.tif 000006
【図５】
2008201033.tif 000007
【図６】
2008201033.tif 000008
【図７】
2008201033.tif 000009
【図８】
2008201033.tif 000010
【図９】
2008201033.tif 000011
【図１０】
2008201033.tif 000012
【図１１】
2008201033.tif 000013
【図１２】
2008201033.tif 000014
【図１３】
2008201033.tif 000015
【図１４】
2008201033.tif 000016
【図１５】
2008201033.tif 000017
【図１６】
2008201033.tif 000018
【図１７】
2008201033.tif 000019
【図１８】
2008201033.tif 000020